(57)【特許請求の範囲】
【請求項１】
フェース面に放射状のフェース溝を設けたことを特徴とするゴルフクラブのヘッドにおいて、該フェース溝における放射状の中心部をスイートスポットに設定して形成したゴルフクラブのヘッド。
【請求項２】
フェース面に放射状のフェース溝を設けたことを特徴とするゴルフクラブのヘッドにおいて、該フェース溝における放射状の中心部が、打球部分の端を示すヒール側又はトウ側の区画線の略中央部に設定して形成したゴルフクラブのヘッド。
【請求項３】
フェース溝における放射状の中心部がソール寄りの略中央部に設定して形成した、フェース面に放射状のフェース溝を設けたことを特徴とするゴルフクラブのヘッドであって、該放射状のフェース溝が、放射状の中心側が狭く且つ深く形成され、末端部に行くに従って徐々に浅く広くなるように、深さ及び幅について長手方向にテーパーをもたせて形成したゴルフクラブのヘッド。
【発明の詳細な説明】
【０００１】
【産業上の利用分野】
本発明は、フェース面に放射状のフェース溝を有するゴルフクラブのヘッドに関するものである。
【０００２】
【従来の技術】
一般に、ゴルフクラブにおけるヘッドのフェース面に設けられているフェース溝は、ソール面に沿って略平行に且つ等間隔に多数本の溝が設けられている。また、特殊な例としては、例えばフェース溝を一部において傾斜させた構成のものが、実開昭６０−６１０６２号公報に開示され、従来例として周知のものとなっている。
【０００３】
この従来例においては、一般的なフェース溝によって助長されていたスライス又はフックする方向を矯正できるようにしたものであり、その具体的構成は、ヘッド本体のソール側からトップ側に至る三角形の領域に直線で水平なフェースライン（フェース溝）を上下方向に所定のピッチで形成し、かつ上記三角形の領域を除くその両斜辺と対応するトウ及びヒール側の領域には傾斜するフェース溝を所定のピッチで形成したものである。
【０００４】
ゴルフクラブにおけるフェース溝の効用は、概ねボールとの接触において機械的な摩擦を大きくしてスピンを掛け易くすること、雨天時の水膜によるハイドロプレーニングを防止すること、及びラフに入ったボールをヒットした時に、ボールとフェース面に介在する草切りを容易にして抵抗を軽減すること、であると認められる。
【０００５】
【発明が解決しようとする課題】
前記従来例においては、ボールをヒットするポイントが、三角形の領域から外れたときに、その外れた領域においてギヤ効果を向上させ、ボールに左回転又は右回転を与えて、スライス又はフック方向に曲がらないように、傾斜したフェース溝を形成したものである。
【０００６】
しかしながら、前記従来例及び一般的なゴルフクラブにおいては、雨天時の水膜によるハイドロプレーニング防止の対策が充分になされていない。即ち、雨天時にクラブのヘッドでボールをヒットした時に、ヘッドのフェース面における水の分散状態は、ボールのヒットポイントを中心にして放射状になるのが物理的に自然である。
【０００７】
ところが、前記従来例及び一般的なゴルフクラブにおけるフェース溝は、傾斜または平行に形成されており、特に雨天時にはクラブのソールで草に付着している水分を掬ってボールをヒットする状態になるので、水がフェース溝に沿って水平方向又は傾斜した方向に流れることになり、水の分散がヒットポイントを中心にした自然な状態の放射状にはならない。
【０００８】
このように、水の分散が自然な状態の放射状にならないと云うことは、フェース面における水平又は傾斜したフェース溝が水の自然な分散を妨げていることになるが、ヒットの瞬間にその妨げを打ち破り、水の習性により溝を越えて放射状になる。このときに、溝間の平面に水膜が形成されることになり、その水膜によってハイドロプレーニングが起き易く、スピンが掛かり難いばかりでなく飛距離が安定せず実質的にミスショットになる。
【０００９】
従って、従来例及び一般的なゴルフクラブにおいては、ハイドロプレーニングの防止に解決しなければならない課題を有している。
【００１０】
【課題を解決するための手段】
前記課題を解決する具体的手段として本発明は、フェース面に放射状のフェース溝を設けたことを特徴とするゴルフクラブのヘッドを提供するものであり、そのフェース溝における放射状の中心部が、ソール寄りの略中央部、スイートスポットエリア、ヒール側又はトウ側のいずれかに設定して形成すると共に、放射状のフェース溝が、深さ及び幅について長手方向にテーパーをもたせて形成し、更に放射状のフェース溝の間に、やや短めの補助溝を形成した構成も含むものである。
【００１１】
【作用】
フェース面に放射状のフェース溝を形成したことにより、例えば雨天でのプレーにおいて、フェース面とボールが衝突した時に、フェース面とボールとの間に介在する水分が、物理的に放射状に飛散するのを助成し、フェース面とボールとの間に水膜が形成されるのを防止して、ハイドロプレーニング現象が生じないようにし、飛距離と方向性とを安定したものにする。
【００１２】
【実施例】
次に本発明を図示の実施例に基づいて更に詳しく説明すると、図１〜３に示した第１実施例において、１は例えばアイアンクラブのヘッドであり、該ヘッド１のフェース面２に多数本のフェース溝３が放射状に形成されている。
【００１３】
この放射状に形成されたフェース溝３は、その放射状の中心又は基部側がソール４側の略中央部に向かうように形成されると共に、各フェース溝の幅及び深さについて、放射状の中心側又は基部側が狭く且つ深く形成され、末端側に行くに従って徐々に広く浅くなるように形成する（図２及び３参照）。
【００１４】
つまり、フェース溝３の幅と深さとにテーパーをもたせて形成するのである。例えば、フェース溝３の幅は狭いところで略０．７ｍｍ形成され、広いところで略１．２ｍｍ程度に形成し、フェース溝３の深さは深いところで、略０．９ｍｍ浅いところで略０．２ｍｍになるように、夫々溝の幅と深さとにテーパーをもたせて形成する。又、フェース溝３の間隔は、放射状に形成されることから、狭いところで略２．１ｍｍ程度に形成される。
【００１５】
更に、フェース面２には、使用者の心理的な面を考慮して、ソール４と略平行なブラストライン５を重ね書きすれば、放射状のフェース溝が形成されていても、フィーリング的にそれ程大きな違和感が生じないものとなる。この場合のブラストライン５は、フェース面２に対して線状の梨地加工を施すことにより形成するか、又は異種金属を埋める等して描けば良い。
【００１６】
図４に示した第２実施例においては、放射状に形成したフェース溝３間に、補助溝３ａを形成したものである。この補助溝３ａは、フェース溝３よりも短めに形成され、補助溝３ａの下端がソール４に届かないようになっている。尚、この実施例においても、フェース面２に前記第１実施例と同様のブラストラインを形成しても良い。
【００１７】
これら第１及び第２実施例のクラブヘッドにおいては、フェース溝３がソール４寄りの略中央部を中心にして放射状に形成されているので、雨天時に芝生上又はラフ中にあるボールをヒットした時に、フェース面２及びボール表面に付着している水分が、フェース面２とボールとの衝突によって放射方向に飛散することになるが、その飛散する水分が放射状のフェース溝３によって無理なくガイドされることにより、フェース面２とボールとの間に水膜形成がほとんどなくなり、ハイドロプレーニング現象が生じなくなるのである。
【００１８】
また、フェース溝３の形状においても、深さと幅方向とにテーパーをもって形成してあるので、ボールのヒット時にソール４側で掬った水分を、フェース溝３によって速やかに放射方向に飛散させるようになるので、ボールをヒットして放射状に飛散する水分と協動して、フェース面２からの水の逃げが確立されるようになり、フェース面において水膜の形成が防止されるので、ハイドロプレーニング現象の生成を抑制するのである。
【００１９】
特に、第２実施例における補助溝３ａの形成は、スイートスポット近傍でボールをヒットした時に、水分の逃げを更に確立するように作用するので、フェース面２における水膜の生成が更に抑制され、ハイドロプレーニング現象が生じ難くなる。
【００２０】
図５に示した第３実施例においては、フェース面２におけるスイートスポットエリア６の近傍に中心部を設定して、放射状のフェース溝３を形成したものである。もちろん、この実施例においても、フェース溝３間に補助溝を設けること、及びブラストラインを形成することは任意である。
【００２１】
この第３実施例のクラブヘッドは、スイートスポット近傍でボールをヒットした時に、放射状のフェース溝３によって放射状に飛散する水を速やかに逃がすようになるので、ボールとフェース面との間において水膜の形成がほとんどなくなり、ハイドロプレーニング現象が生じ難くなる。
【００２２】
また、図６及び図７に示した第４実施例においては、放射状のフェース溝３の中心部がヒール側の区画線７又はトウ側の区画線８の略中央部に来るように形成したものである。この第４実施例においては、雨天時の使用に限らず晴天時においても有効なものである。
【００２３】
例えば、スライス系のボールを打つとか、或はフック系のボールを打つとかのプレーヤーが使用した場合に好都合である。つまり、図６に示したヒール側を中心にして放射状にフェース溝３を形成した場合に、トウ側でボールをヒットすると、フェース面２とボールとの接触面が広くなって、ギヤ効果によりボールに反時計方向のスピンが掛かり、右側に打ち出されたボールがスピンによって中央部まで戻るようになり、球筋が安定する。
【００２４】
逆に、ヒール側でボールをヒットした時に、フェース溝３が集中していることからフェース面２とボールとの接触面積が狭くなり、ギヤ効果が生じてもボールに対する時計方向のスピンが掛かり難くなり、スライスボールが出難くなるのである。
【００２５】
また、図７に示したトウ側を中心にして放射状にフェース溝３を形成したクラブヘッドは、前記とは全く逆の現象が生ずるので、フックボールが出難くなるのである。従って、この第４実施例においては、スライス又はフックの球癖があるプレーヤーにとって好都合なものとなるのである。尚、この第４実施例においても、前記第２実施例と同様のフェース溝３の間に補助溝を形成すること、及びブラストラインを設けることができるのは当然である。
【００２６】
以上の各実施例においては、アイアンクラブのヘッドについて説明したが、当然の如くウッドグラブのヘッドについても適用できることは言うまでもない。
【００２７】
【発明の効果】
以上説明したように、本発明に係るゴルフクラブのヘッドは、フェース面に放射状のフェース溝を設けた構成とすることにより、特に雨天時でのプレーにおいて、フェース面とボールが衝突した時に、フェース面とボールとの間に介在する水分が、物理的に放射状に飛散することになるが、その放射状の水の飛散を前記放射状のフェース溝で助成し、フェース面とボールとの間に水膜が形成されるのを防止して、ハイドロプレーニング現象が生じないようにし、飛距離と方向性とを安定させることができると言う優れた効果を奏する。
【００２８】
また、そのフェース溝における放射状の中心部が、ソール寄りの略中央部、スイートスポットエリア、ヒール側又はトウ側のいずれかに設定して形成することにより、雨天時のプレーのみならず、球筋に著しい癖があるプレーヤーにとって、その球筋を緩和させることができると言う優れた効果も奏する。
【００２９】
更に、放射状のフェース溝が、深さ及び幅について長手方向にテーパーをもたせて形成すると共に、放射状のフェース溝の間に、やや短めの補助溝を形成したことにより、前記ハイドロプレーニング現象の抑制を更に向上させることができると言う優れた効果を奏する。
【図面の簡単な説明】
【図１】本発明に係る第１実施例のゴルフクラブのヘッドを示す正面図である。
【図２】同実施例における図１のＡ−Ａ線に沿う一部拡大断面図である。
【図３】同実施例における図１のＢ−Ｂ線に沿う一部拡大断面図である。
【図４】本発明に係る第２実施例のゴルフクラブのヘッドを示す正面図である。
【図５】本発明に係る第３実施例のゴルフクラブのヘッドを示す正面図である。
【図６】本発明に係る第４実施例のゴルフクラブのヘッド一例を示す正面図である。
【図７】同第４実施例の他の例を示す正面図である。
【符号の説明】
１  ヘッド
２  フェース面
３  フェース溝
３ａ  補助溝
４  ソール
５  ブラストライン
６  スイートスポットエリア
７  ヒール側の区画線
８  トウ側の区画線
【図１】
0003555774.tif 000002
【図２】
0003555774.tif 000003
【図３】
0003555774.tif 000004
【図４】
0003555774.tif 000005
【図５】
0003555774.tif 000006
【図６】
0003555774.tif 000007
【図７】
0003555774.tif 000008